(57)【要約】【課題】リサイクル時などにおいて、電池の基板からの分離性を向上させた電機機器を提供することを目的とする。【解決手段】バックアップ用の電池１２を搭載している操作基板１０の電池搭載部１４を、操作基板１０から突出して形成した基板突出部１３に設けたものである。これによって、電池搭載部１４が基板突出部１３に設けてあるので、サイクル時などに電池１２を操作基板１０から電池搭載部１４ごと折り取ることができ、ハンダ付け部の端子を切断する作業をなくし、電池の分離性を向上させることができる。【選択図】図２
2007242769.tif 000002
【特許請求の範囲】
【請求項１】
バックアップ用の電池を搭載している基板の電池搭載部を、基板から突出して形成した基板突出部に設けた電気機器。
【請求項２】
バックアップ用の電池を搭載している電池搭載部の基板周囲に分割形成部を設けた電気機器。
【請求項３】
電池搭載部の近傍に工具を挿入できる分割作業用穴を設けた請求項１または２に記載の電気機器。
【発明の詳細な説明】
【技術分野】
【０００１】
本発明は、特に、リサイクル時の電池分離性を考慮した炊飯器などの電気機器に関するものである。
【背景技術】
【０００２】
従来、炊飯器などは、マイクロコンピュータの時計機能などをバックアップするために電池を機器本体内に有している。炊飯器などは、通常、家庭内の電源に繋いだ状態で使用され、通電時はバックアップ機能を電池によらず電源からの電力で行うため、商品使用時において電池を交換する必要はほぼない。そのため、電池収納部を設けずに直接基板にハンダ付けされていることが多い（例えば、特許文献１参照）。
【０００３】
これにより、電池搭載部に対する製品運搬や使用時の耐久性が確保されるとともに、製造時に基板のみでの時間調整ができる。
【特許文献１】特開２００３−３１０４３２号公報
【発明の開示】
【発明が解決しようとする課題】
【０００４】
しかしながら、前記従来の構成では、機器のリサイクル時、電池が基板にハンダ付けされているため、標準工具では簡単に取り外すことができず、ニッパーなどでハンダ付け用の端子を切断しようとしても周囲部品が障害となるため、基板を破壊しないと電池を分離できないことが多く、周囲部品や破壊された基板エッジ部により作業者が怪我をする恐れがある。特に、多くの炊飯器では、バックアップ用の電池としてリチウム電池が用いられている。リチウム電池は水没させると発火する危険性があり、リサイクル工場などで製品を粉砕する時は必ず事前に取り出さねばならないが、その作業が簡単ではなかった。
【０００５】
本発明は、前記従来の課題を解決するもので、リサイクル時などにおいて、電池の基板からの分離性を向上させた電機機器を提供することを目的とする。
【課題を解決するための手段】
【０００６】
前記従来の課題を解決するために、本発明の電気機器は、バックアップ用の電池を搭載している基板の電池搭載部を、基板から突出して形成した基板突出部に設けたものである。
【０００７】
これによって、電池搭載部が基板突出部に設けてあるので、サイクル時などに電池を基板から電池搭載部ごと折り取ることができ、ハンダ付け部の端子を切断する作業をなくし、電池の分離性を向上させることができる。
【発明の効果】
【０００８】
本発明の電気機器は、リサイクル時などにおいて、電池の基板からの分離性を向上させることができる。
【発明を実施するための最良の形態】
【０００９】
第１の発明は、バックアップ用の電池を搭載している基板の電池搭載部を、基板から突出して形成した基板突出部に設けた電気機器とすることにより、電池搭載部が基板突出部に設けてあるので、サイクル時などに電池を基板から電池搭載部ごと折り取ることができ、ハンダ付け部の端子を切断する作業をなくし、電池の分離性を向上させることができる。
【００１０】
第２の発明は、バックアップ用の電池を搭載している電池搭載部の基板周囲に分割形成部を設けたことにより、リサイクル時などに電池を基板の電池搭載部ごと分離する際、分割しやすいとともに、分割ラインが奇麗な形状となるために、作業者の怪我の恐れが低減され、さらに安全に作業ができる。
【００１１】
第３の発明は、第１または第２の発明において、電池搭載部の近傍に工具を挿入できる分割作業用穴を設けたことにより、プラスドライバーなどの標準工具を分割作業用穴に挿入し、梃の原理により電池搭載部を弱い力で分離させることができ、楽に作業ができる。
【００１２】
以下、本発明の実施の形態について、図面を参照しながら説明する。なお、この実施の形態によって本発明が限定されるものではない。
【００１３】
（実施の形態１）
図１、図２は、本発明の実施の形態１における電気機器として炊飯器を示している。
【００１４】
図に示すように、機器本体１には、その上面を覆う蓋２が開閉自在に設置されている。機器本体１の収納部３は、上方の上枠４と下方のコイルベース５とから構成される。鍋６は、ステンレス、鉄などの磁性体によって形成されており、上端開口部に外側にせり出したフランジ７を有している。このフランジ７を上枠４の上端から浮き上がった状態で載置することにより、鍋６を収納部３に着脱自在に収納している。鍋６は収納時に、収納部３との間に隙間を有する。
【００１５】
コイルベース５の鍋６底部に対向する部分に、鍋６を誘導加熱する誘導加熱コイル８が配設される。誘導加熱コイル８は、コイルベース５の底面外側に配設された外コイルと、底面内側に配設された内コイルとからなる。それぞれの誘導加熱コイル８は、鍋６の底部中心の略真下に中心を有する巻線である。
【００１６】
回路基板９と接続されている操作基板１０上にはマイクロコンピュータ（図示しない）が搭載されている。マイクロコンピュータはソフトウエアにより、誘導加熱コイル８に交番磁界を発生させるための電流を制御する。回路基板９の下方には、外気により基板上の部品を冷却する冷却手段であるファンモータ１１が設置されている。操作基板１０の上にはマイクロコンピュータのバックアップ電源として電池１２がハンダ付けにより固定されている。ここでは電池１２としてリチウム電池が用いられている。
【００１７】
電気機器として炊飯器は、鍋６を誘導加熱し、鍋６内の調理物（図示しない）を加熱調理する。調理物は、炊飯前の米と水または炊き上がったご飯などである。なお、誘導加熱時には、回路基板９上の部品が通電により発熱し、温度が上昇し、高温となると破壊の恐れがあるため、ファンモータ１１を動作させ、冷却を行っている。
【００１８】
ここで、操作基板１０の構成について、図２を用いて説明する。
【００１９】
バックアップ用の電池１２を搭載している操作基板１０の電池搭載部１４を、操作基板１０から突出して形成した基板突出部１３に設け、ここで電池１２がハンダ付けにより固定されている。
【００２０】
上記構成の炊飯器をリサイクルする時、電池１２を取り外さねばならない。このとき、ハンダ付けされている端子を切断せずとも、電池１２が基板突出部１３に固定されているため、端部のみを電池１２ごと折り取ることが可能となっている。よって、無理に端子を切断する必要がなく安全にリサイクル作業を行うことができる。
【００２１】
以上のように、本実施の形態の電気機器においては、リサイクル時などにおいて、電池の基板からの分離性を向上させることができる。
【００２２】
（実施の形態２）
図３は、本発明の実施の形態２における電気機器の基板を示している。電気機器の構成については実施の形態１と同一であるので、その説明を省略する。
【００２３】
図に示すように、本実施の形態では、電池搭載部１４の基板周囲にＶカットの分割形成部１５を設けるとともに、分割形成部１５の一部（図では４箇所）に分割用穴１６が設けられている。
【００２４】
上記構成において、電池１２を取り外す際には、分割形成部１５と分割用穴１６を利用して、電池搭載部１４の操作基板１０ごと電池１２を折り取ることが可能となっている。したがって、無理に端子を切断する必要がなく安全にリサイクル作業などを行うことができる。
【００２５】
以上のように、本実施の形態の電気機器においては、リサイクル時などにおいて、電池の基板からの分離性を向上させることができる。
【００２６】
（実施の形態３）
図４は、本発明の実施の形態３における電気機器の基板を示している。電気機器の構成については実施の形態１と同一であるので、その説明を省略する。
【００２７】
図に示すように、本実施の形態では、電池搭載部１４の近傍にプラスドライバーなどの工具を挿入できる分割作業用穴１７を設けたものである。
【００２８】
図４（ａ）は実施の形態１と対応しており、分割作業用穴１７に加えて基板突出部１３を電池１２ごと折り取ることが可能なようにＶカットの分割形成部１８を設けている。図４（ｂ）は実施の形態２と対応しており、１個所の分割用穴１６を分割作業用穴１７としたものである。
【００２９】
上記構成において、電池１２を取り外す際には、電池搭載部１４の近傍に分割作業用穴１７が設けられているため、プラスドライバーなどの工具の先端を分割作業用穴１７に挿入し、ドライバーをねじる、梃の原理で電池搭載部１４を持ち上げるなどの作業により、簡単に電池１２を取り外すことが可能となっている。よって、容易かつ迅速にリサイクル作業などを行うことができる。
【００３０】
以上のように、本実施の形態の電気機器においては、リサイクル時などにおいて、電池の基板からの分離性を向上させることができる。なお、本実施の形態では、プラスドライバー用の分割作業用穴としたが、分割作業用穴としてはマイナスドライバーやラジオペンチなどの工具に対応した形状としてもよい。
【産業上の利用可能性】
【００３１】
以上のように、本発明にかかる電気機器は、リサイクル時などにおいて、電池の基板からの分離性を向上させることができるので、炊飯器はもとより電池を用いた各種の機器として有用である。
【図面の簡単な説明】
【００３２】
【図１】本発明の実施の形態１における電気機器の断面図
【図２】同電気機器の操作基板の平面図
【図３】本発明の実施の形態２における電気機器の操作基板の平面図
【図４】本発明の実施の形態３における電気機器の操作基板の平面図
【符号の説明】
【００３３】
１  機器本体
１０  操作基板
１２  電池
１３  基板突出部
１４  電池搭載部
１５、１８  分割形成部
１６  分割用穴
１７  分割作業用穴
【図１】
2007242769.tif 000003
【図２】
2007242769.tif 000004
【図３】
2007242769.tif 000005
【図４】
2007242769.tif 000006